(57)【要約】【課題】  操作部から遠ざかる操作者の動向に適応して電力制御を切り替えることで、操作者の利便性を確保しつつ、無駄な電力消費を抑える。【解決手段】    第１電力状態および前記第１電力状態より省電力の第２電力状態で動作する画像形成装置において、検知手段が物体を検知していない状態に変化した場合、処理手段によるジョブ実行状態に基づいて、画像形成装置を前記第２電力状態に移行するタイミングを制御すことを特徴とする。【選択図】  図６
2019179244.tif 000002
【特許請求の範囲】
【請求項１】
第１電力状態および前記第１電力状態より省電力の第２電力状態で動作する画像形成装置であって、
ユーザの操作を受け付ける操作手段と、
前記操作手段を用いて設定されるジョブを実行する処理手段と、
物体を検知する検知手段と、
前記検知手段が物体を検知していない状態に変化した場合、前記処理手段によるジョブ実行状態に基づいて、前記画像形成装置を前記第２電力状態に移行するタイミングを制御する制御手段と、
を備えることを特徴とする画像形成装置。
【請求項２】
前記画像形成装置が前記第１電力状態に移行してから前記処理手段がジョブを実行し、且つ、前記検知手段が操作者を検知していない状態に変化した場合、前記制御手段は、所定時間が経過する前に、前記画像形成装置を前記第２電力状態に移行させることを特徴とする請求項１記載の画像形成装置。
【請求項３】
前記画像形成装置が前記第１電力状態に移行してから前記処理手段がジョブを実行せず、かつ、前記検知手段が操作者を検知していない状態に変化した場合、前記制御手段は、所定時間経過後に、前記画像形成装置を前記第２電力状態に移行させることを特徴とする請求項１または２に記載の画像形成装置。
【請求項４】
前記画像形成装置が前記第１電力状態に移行してから前記処理手段がジョブを実行せずかつ前記操作手段が操作されずに、前記検知手段が前記操作者を検知していない状態に変化した場合、前記制御手段は、所定時間が経過する前に前記画像形成装置を前記第２電力状態に移行させることを特徴とする請求項３記載の画像形成装置。
【請求項５】
前記処理手段は、プリント手段、スキャナ手段、画像処理手段、メモリ手段、コントローラ手段を含むことを特徴とする請求項１乃至４のいずれか１項に記載の画像形成装置。
【請求項６】
前記検知手段は、焦電センサである、請求項１乃至５のいずれか１項に記載の画像形成装置。
【請求項７】
第１電力状態および前記第１電力状態より省電力の第２電力状態で動作する画像形成装置の制御方法であって、
ユーザの操作を受け付ける操作手段を用いて設定されるジョブを実行する処理工程と、
物体を検知する検知工程と、
前記検知工程が物体を検知していない状態に変化した場合、前記処理工程によるジョブ実行状態に基づいて、前記画像形成装置を前記第２電力状態に移行するタイミングを制御する制御工程と、
を備えることを特徴とする画像形成装置の制御方法。
【請求項８】
請求項７に記載の画像形成装置の制御方法をコンピュータに実行させることを特徴とするプログラム。
【発明の詳細な説明】
【技術分野】
【０００１】
本発明は、人体検知技術を用いた画像形成装置に関し、特に人体検知技術を用いて電力状態を切り替える
画像形成装置、画像形成装置の制御方法、及びプログラムに関するものである。
【背景技術】
【０００２】
従来、プリンタ、ファクシミリ装置、複写機等の画像形成装置においては、電源装置で生成された所定の電力が画像形成装置の所定の負荷に供給されるようになっている。そして、画像形成装置は電源制御装置を備え、該電源制御装置は、画像形成装置が一定の時間作動しない場合に、ユーザによる操作が可能な通常モードから、消費される電力を少なくするための省電力モードに移行させるようになっている。しかし、ユーザによる操作が終了しても、省電力モードに移行するまでに一定時間通常モードを維持しなければならないため、無駄な電力を消費してしまう場合がある。
【０００３】
この問題を解決するために、画像形成装置に人体検知手段を設け、ユーザの処理実行操作に応じて人感検知手段の感度を調整する方法がある。また、省電力モード解除手段の操作頻度に応じて省電力モード移行用のタイマのカウント値を調整する方法を用いることで、ユーザ利便性と消費電力の低減の両立を実現させようとするものがある。（特許文献１参照）
【先行技術文献】
【特許文献】
【０００４】
【特許文献１】特開２０１２−１１８２５３号公報
【発明の概要】
【発明が解決しようとする課題】
【０００５】
しかしながら、上記特許文献１に記載の技術においては、人感検知手段の感度やタイマカウント値の調整は行うが、ユーザ操作が終了したとしても、省電力モードに移行するまでに一定時間通常モードを維持するため、無駄な電力を消費してしまうことになる。
【０００６】
本発明は、上記の課題を解決するためになされたもので、本発明の目的は、操作部から遠ざかる操作者の動向に適応して電力制御を切り替えることで、操作者の利便性を確保しつつ、無駄な電力消費を抑えることができる仕組みを提供することである。
【課題を解決するための手段】
【０００７】
上記目的を達成する本発明の画像形成装置は以下に示す構成を備える。
第１電力状態および前記第１電力状態より省電力の第２電力状態で動作する画像形成装置であって、ユーザの操作を受け付ける操作手段と、前記操作手段を用いて設定されるジョブを実行する処理手段と、物体を検知する検知手段と、前記検知手段が物体を検知していない状態に変化した場合、前記処理手段によるジョブ実行状態に基づいて、前記画像形成装置を前記第２電力状態に移行するタイミングを制御する制御手段と、を備えることを特徴とする。
【発明の効果】
【０００８】
本発明によれば、操作部から遠ざかる操作者の動向に適応して電力制御を切り替えることで、操作者の利便性を確保しつつ、無駄な電力消費を抑えることができる。
【図面の簡単な説明】
【０００９】
【図１】画像形成装置の構成を説明する図である。
【図２】図１に示した人感センサ部の検知領域を示した概念図である。
【図３】メインコントローラ部と電源装置部との構成を示すブロック図である。
【図４】画像形成装置の電源状態を説明するブロック図である。
【図５】画像形成装置の制御方法を説明するフローチャートである。
【図６】画像形成装置の制御方法を説明するフローチャートである。
【図７】画像形成装置の制御方法を説明するフローチャートである。
【発明を実施するための形態】
【００１０】
次に本発明を実施するための最良の形態について図面を参照して説明する。
＜システム構成の説明＞
〔第１実施形態〕
【００１１】
図１は、本実施形態を示す画像形成装置の構成を説明する図である。本例は、画像形成装置１００は、プリンタ部１０２と、スキャナ部１０３と、メインコントローラ部１０１を備えている。なお、本実施形態では、第１電力状態および前記第１電力状態より省電力の第２電力状態で動作する画像形成装置を例として説明する。
図１において、プリンタ部１０２は、例えば電子写真方式に従ってシート状の記録媒体（用紙）への画像形成処理を行う。スキャナ部１０３は、原稿から光学的に画像を読み取りデジタル画像への変換を行う。
【００１２】
メインコントローラ部１０１は、画像形成装置１００全体を制御し、スキャナ部１０３で読み取った原稿画像をプリンタ部１０２で画像形成処理し、コピー動作を行うといった制御を行う。また、メインコントローラ部１０１は、ネットワーク１０６を介して、ＰＣ１０７と接続されている。ネットワーク１０６は、ローカルエリアネットワーク（ＬＡＮ）等であり、有線または無線を問わない。ＰＣ１０７は、ＣＰＵ、ＲＡＭ、ＨＤＤ等の固定記憶装置を有し、モニタ、キーボード、マウス等が接続された一般的なコンピュータ装置である。ＰＣ１０７は、画像形成プログラムとしてのプリンタドライバプログラムがインストールされている。
【００１３】
ＰＣ１０７がプリンタドライバプログラムを実行すると、ＰＣ１０７は、オペレーティングシステムやアプリケーションプログラムが発行する描画命令に従って、ＰＤＬデータを生成し、画像形成装置１００に送信する。ここで、ＰＤＬデータとは、プリンタドライバプログラムによって画像形成装置１００が処理可能なページ記述言語に変換したデータである。画像形成装置１００は、ＰＣ１０７から受信したＰＤＬデータを基に生成したビットマップ画像を用紙上に形成し、印刷動作を行う。
画像形成装置１００には、ＡＣプラグ１０５が備えられており、装置外部のコンセントにＡＣプラグ１０５を差し込むことにより、交流商用電源の供給を受けるようになっている。
【００１４】
また、画像形成装置１００には、画像形成装置１００の周囲において人などの移動物体を検知する人感センサ部１０４が備えられている。なお、人感センサ部１０４は、例えば人から放射される赤外線を感知しその変化量によって人の有無を判断する焦電センサや、赤外線等の光を放射しその反射光を検知する反射形のセンサ等、検知領域内の人の有無を判断可能なセンサであれば特に限定されない。
【００１５】
図２は、図１に示した人感センサ部の検知領域を示した概念図である。
図２の（Ａ）、（Ｂ）において、検知領域２００は、人感センサ部１０４の検知領域であり、検知領域２００内に人が存在する時に人感センサ部１０４で検知するようになっている。図２の（Ａ）は、画像形成装置１００を側面から見た概念を示し、人感センサ部１０４の検知領域２００は、画像形成装置１００の前に立って操作を行うユーザが存在すると予測される装置前方の下側に向けられている。
また、図の２（Ｂ）は、画像形成装置１００を上面から見た概念を示すが、人感センサ部１０４は、画像形成装置１００の前に立って操作部を操作すると予測される操作部正面に取り付けられている。なお、この検知領域２００は、人感センサ部１０４の取り付け位置、取り付け時の向き等によって変更可能である。
【００１６】
図３は、図１に示したメインコントローラ部と電源装置部との構成を示すブロック図である。
図３において、メインコントローラ部１０１は、電源制御部３１２、ネットワーク処理部３１３、タイマ部３１４、メモリ部３１５、ＨＤＤ部３１６、ＣＰＵ部３１７、画像処理部３１８で構成される。
【００１７】
電源制御部３１２は、メインコントローラ部１０１のＣＰＵ部３１７が実行する制御プログラム及び人感センサ部１０４、操作部３１９、ネットワーク処理部３１３の状態に従って、画像形成装置の各処理手段への電源を供給／遮断させるためのスイッチング制御を行う。ネットワーク処理部３１３は、ＣＰＵ部３１７と電源制御部３１２に接続されている。電源制御部３１２は、ＣＰＵ部３１７を含む処理手段が省電力状態に遷移しても電力が供給されており、当該省電力状態の下で、画像形成装置の各処理手段への電源を供給／遮断させるためのスイッチング制御を行う。このため、電源制御部３１２にサブＣＰＵを設ける構成としてもよい。
【００１８】
ネットワーク処理部３１３は、ネットワーク１０６を介してＰＣ１０７から送信されたＰＤＬデータを、ＣＰＵ部３１７に出力する制御部として機能する。また、画像形成装置１００が省電力モード中の場合は、ネットワーク１０６から画像形成装置１００宛てのネットワークパケットを受信すると、電源制御部３１２に対して通常モードへ移行することを指示する。
人感センサ部１０４は、電源制御部３１２に接続にされており、人感センサ部１０４の検知領域内の人の有無を通知する。また、画像形成装置１００が省電力モード中の場合は、人感センサ部１０４の検知領域内に人の存在を検知すると、電源制御部３１２に対して通常モードへ移行することを指示する。
【００１９】
タイマ部３１４は、ＣＰＵ部３１７に接続されており、画像形成装置１００が省電力モード状態に移行するための移行時間の計時処理を行うものである。メモリ部３１５は、ＣＰＵ部３１７に接続されている。メモリ部３１５は、ＤＤＲ ＳＤＲＡＭ等の揮発性メモリであり、ＣＰＵ部３１７で実行する制御プログラム等によって作成されたユーザデータなどを格納する主メモリである。
【００２０】
また、メモリ部３１５には、操作部３１９がいつ操作されたかを示す操作履歴情報３２１が格納されており、操作部３１９の操作後、ＣＰＵ部３１７が毎回更新する情報である。ＨＤＤ部３１６は、ＣＰＵ部３１７に接続されている。ＨＤＤ部３１６は、ＣＰＵ部３１７が実行するプログラムやネットワーク１０６から送信されたＰＤＬデータを一時的に格納するための記憶装置である。
【００２１】
また、ＨＤＤ部３１６には、コピー動作、プリント動作、スキャン動作などのジョブがいつ実行されたかを示す処理実行履歴情報３２０が格納されており、ジョブ終了後、ＣＰＵ部３１７が毎回更新する情報である。
【００２２】
ＣＰＵ部３１７は、画像形成装置１００全体の制御を行う中央演算装置であり、ＨＤＤ部３１６に格納されている制御プログラムに基づいて、コピー機能やプリント機能等を実現する。画像処理部３１８は、ＣＰＵ部３１７、プリンタ部１０２、スキャナ部１０３に接続されている。画像処理部３１８は、スキャナ部１０３から出力されたデジタル画像を色空間変換などの画像処理を行い、画像処理後のデータをＣＰＵ部３１７に出力する。
【００２３】
また、画像処理部３１８は、スキャナ部１０３で読み取られた画像データやＰＣ１０７から受信したＰＤＬデータを基に生成した画像データに色空間変換などの画像処理を行い、ビットマップデータに変換し、プリンタ部１０２に出力する。操作部３１９は、電源制御部３１２とＣＰＵ部３１７に接続されている。操作部３１９は、操作用液晶パネルや省電力モード解除ボタンを含むハードキーを備え、ユーザから入力される指示を受け付ける。また、画像形成装置１００が省電力モード中に省電力モード解除ボタンが押下されたことを検知すると、電源制御部３１２に対して通常モードへ移行することを指示する。
【００２４】
以下、図３を用いて図１に示した画像形成装置１００の電源装置３００の説明する。
画像形成装置１００に備えられたＡＣプラグ１０７を装置外部のコンセントに差し込むことにより、交流商用電源がリレー３０１及び第１コントローラ電源系用電源部３０５に供給される。リレー３０１は、電源制御部３１２により制御され、リレー３０１がオンされることで、高電圧電源部３０３、低電圧電源部３０４への電源供給が可能となる。第１コントローラ電源系用電源部３０５は、電源制御部３１２により制御され、メインコントローラ部１０１の電源系３１０に接続されている。
【００２５】
電源系３１０は、省電力モード中も常時電源供給される電源系であり、人感センサ部１０４、電源制御部３１２、ネットワーク処理部３１３、タイマ部３１４、メモリ部３１５が接続されている。次に、高電圧電源部３０３及び低電圧電源部３０４を含む電源部３０２は、電源制御部３１２で制御され、省電力モード中は電源が遮断される。高電圧電源部３０３は、主としてプリンタ部１０２やスキャナ部１０３のモータ駆動用電源や定着部のヒータ等で使用される電源である。低電圧電源部３０４は、プリンタ部１０２、スキャナ部１０３、メインコントローラ部１０１の電源系３１１に電源供給されている。メインコントローラ部１０１の電源系３１１は、省電力モード中は電源が遮断される電源系であり、ＨＤＤ部３１６、ＣＰＵ部３１７、画像処理部３１８、操作部３１９が接続されている。
【００２６】
スキャナ部電源供給部３０７、プリンタ部電源供給部３０８、第２コントローラ電源系用電源供給部３０９を含む電源供給部３０６は、電源制御部３１２で制御され、省電力モード中は電源が遮断される。スキャナ部電源供給部３０７は、高電圧電源部３０３及び低電圧電源部３０４を入力源として、スキャナ部１０３に接続されており、電源制御部３１２でオン・オフが制御されるようになっている。
【００２７】
プリンタ部電源供給部３０８は、高電圧電源部３０３及び低電圧電源部３０４を入力源として、プリンタ部１０２に接続されており、電源制御部３１２でオン・オフが制御されるようになっている。第２コントローラ電源系用電源供給部３０９は、低電圧電源部３０４を入力源として、メインコントローラ部１０１の第２電源系３１１に接続されており、電源制御部３１２でオン・オフが制御されるようになっている。
【００２８】
図４は、本実施形態を示す画像形成装置の電源状態を説明するブロック図である。本図において、グレー表示される箇所が省電力モード時の電源状態に対応する。なお、通常モード時は、図３に示す全てのブロックに電源が供給されている。この際に必要な機能にのみ給電するような形態を取ってもよいが、ここでは明記しない。省電力モード時では、図４に示したように一部のブロックに電源が給電されている。
【００２９】
まず、ＡＣプラグ１０７を介して、交流商用電源が第１コントローラ電源系用電源部３０５に供給される。第１コントローラ電源系用電源部３０５から電源が供給されるブロックは、人感センサ部１０４、電源制御部３１２、ネットワーク処理部３１３、タイマ部３１４、メモリ部３１５である。なお、操作部３１９への電源は遮断するように記載しているが、省電力モード解除ボタンが押下されたことを電源制御部３１２で検知できる構成とする。
【００３０】
次に、通常モードから省電力モードへの移行シーケンスについて説明する。
画像形成装置１００の操作が一定時間行われていない等の省電力モード移行条件が整うと、ＣＰＵ部３１７が省電力モード移行処理を実行する。省電力モード移行処理では、まずＣＰＵ部３１７が、ＨＤＤ部３１６に格納されている制御プログラムに従って、画像処理部３１８内のデータの退避などソフトウェアの省電力モード移行処理を実行する。
【００３１】
ソフトウェアの省電力モード移行処理終了後、ＣＰＵ部３１７が電源制御部３１２に対して、リレー３０１、電源部３０２、電源供給部３０６の電源を遮断するように指示する。電源制御部３１２はＣＰＵ部３１７からの電源遮断指示を受け取ると、リレー３０１、電源部３０２、電源供給部３０６の電源を遮断し、消費電力の少ない省電力モードへの移行を完了する。
【００３２】
図５は、本実施形態を示す画像形成装置の制御方法を説明するフローチャートである。本例は、省電力モード復帰シーケンス例である。なお、各ステップは、電源制御部３１２の図示しないサブＣＰＵがメモリに制御プログラムをロードして実行することで実現される。以下、本実施形態における第２省電力状態へ移行させるタイミングの制御について説明する。
まず、省電力モードから通常モードへの移行指示が発生したかを確認するために、電源制御部３１２がネットワーク処理部３１３、人感センサ部１０４、操作部３１９の省電力モード解除ボタンの状態を確認する（Ｓ７０１）。電源制御部３１２が通常モードへの移行指示がないと判断した場合は、通常モードへの移行指示が発生するまで定期的に各部の状態をポーリングする（Ｓ７０１がＮＯ）。電源制御部３１２が通常モードへの移行指示があると判断した場合は（Ｓ７０１がＹＥＳ）、電源制御部３１２がリレー３０１、電源部３０２、電源供給部３０６をオンし、各部の電源供給を開始する（Ｓ７０２）。
【００３３】
ＣＰＵ部３１７に電源が供給されると、ＣＰＵ部３１７が省電力モード復帰処理を実行する。省電力モード復帰処理では、まずＣＰＵ部３１７が、ＨＤＤ部３１６やメモリ部３１５に格納されている制御プログラムに従って、画像処理部３１８内のデータの復元などソフトウェアの省電力モード復帰処理を実行する（Ｓ７０３）。
【００３４】
省電力モード復帰処理終了後、通常モードへの移行要因を確認するために、ＣＰＵ部３１７が電源制御部３１２に対してアクセスする（Ｓ７０４）。通常モードへの移行要因がジョブでの復帰でないと判断した場合は（Ｓ７０４がＮＯ）、電源制御部３１２は、通常モード状態を維持する。通常モードへの移行要因がプリント動作やコピー動作などジョブでの復帰であると電源制御部３１２が判断した場合は（Ｓ７０４がＹＥＳ）、ＣＰＵ部３１７がジョブを実行し（Ｓ７０５）、ジョブ終了後、ＨＤＤ部３１６内に格納されている処理実行履歴情報３２０を更新して（Ｓ７０６）、本処理を終了する。
【００３５】
図６は、本実施形態を示す画像形成装置の制御方法を説明するフローチャートである。本例は、省電力モード復帰シーケンス例である。なお、各ステップは、電源制御部３１２の図示しないサブＣＰＵがメモリに制御プログラムをロードして実行することで実現される。以下、操作手段による操作状態と、処理手段によるジョブ実行状態とから、電源から各処理手段に供給すべき電源供給状態を省電力状態に切り替える制御について説明する。
まず、画像形成装置１００が省電力モードから復帰して通常モード状態にいる場合に、画像形成装置１００の前に人が存在するかを、ＣＰＵ部３１７が電源制御部３１２を介して人感センサ部１０４の状態を確認する（Ｓ５０１）。
【００３６】
ＣＰＵ部３１７が画像形成装置１００の前に人がいると判断した場合は、人感センサ部１０４の状態が人がいない状態になるまで定期的にポーリングする（Ｓ５０１がＹＥＳ）。ＣＰＵ部３１７が画像形成装置１００の前に人がいないと判断した場合は（Ｓ５０１がＮＯ）、ＣＰＵ部３１７がＨＤＤ部３１６に格納されている処理実行履歴情報３２０を確認する（Ｓ５０２）。処理実行履歴情報３２０に省電力モード復帰後からのジョブ実行履歴がない場合には（Ｓ５０２がＮＯ）、一時的に画像形成装置１００の前から離れた（使用中）と判断する。
【００３７】
そこで、ＣＰＵ部３１７は予め設定された時間を計測するために、タイマ部３１４をリセットし、計測する時間をタイマ部３１４に設定した後、タイマ部３１４を起動させ所定時間の計測を開始する（Ｓ５０３）。タイマ部３１４を起動させた後、画像形成装置１００の前に人が存在するか（人が戻ってきたか）を、ＣＰＵ部３１７が電源制御部３１２を介して人感センサ部１０４の状態を判断する（Ｓ５０４）。ＣＰＵ部３１７が画像形成装置１００の前に人がいると判断した場合は（Ｓ５０４がＹＥＳ）、所定時間の計測を中止するためにＣＰＵ部３１７がタイマ部３１４をリセットして（Ｓ５０６）、Ｓ５０１へ戻る。
【００３８】
タイマ部３１４のリセット後、人感センサ部１０４の状態が、人がいない状態になるまでＣＰＵ部３１７が人感センサ部１０４の状態を定期的にポーリングする。ＣＰＵ部３１７が画像形成装置１００の前に人がいないと判断した場合は（Ｓ５０４がＮＯ）、タイマ部３１４のタイマカウント値を確認し、予め設定された所定時間経過後でなければ（Ｓ５０５がＮＯ）、再度人感センサ部１０４の状態を確認する。
【００３９】
予め設定された時間経過した場合（Ｓ５０５がＹＥＳ）は、ＣＰＵ部３１７が省電力モード移行処理を実行し、消費電力の少ない省電力モードへの移行させる（Ｓ５０７）。また、処理実行履歴情報３２０に省電力モード復帰後からのジョブ実行履歴がある場合も（Ｓ５０２がＹＥＳ）、ＣＰＵ部３１７が省電力モード移行処理を実行し、省電力モードへ移行させ（Ｓ５０７）、本処理を終了する。
【００４０】
以上のように本実施形態によれば、コピーなどのジョブを実行した後に、人感検出手段でユーザが離れたことを検知した場合には、すぐに省電力モードに移行するため、無駄な電力消費を極力抑えることが可能となる。また、ジョブを実行していない状態でユーザが離れたことを検知した場合には、一定時間通常モードを維持するため、ユーザの利便性を維持することが可能となる。
【００４１】
〔第２実施形態〕
本実施形態では、省電力モードから復帰した後に操作部を操作したことを検知する場合の省電力モード移行シーケンスについて説明する。なお、画像形成装置の構成に関しては、第１実施形態と同じであるため、説明を割愛する。
【００４２】
図７は、本実施形態を示す画像形成装置の制御方法を説明するフローチャートである。本例は、省電力モード復帰シーケンス例である。なお、各ステップは、電源制御部３１２の図示しないサブＣＰＵがメモリに制御プログラムをロードして実行することで実現される。
まず、画像形成装置１００が省電力モードから復帰して通常モード状態にいる場合に、画像形成装置１００の前に人が存在するかを、ＣＰＵ部３１７が電源制御部３１２を介して人感センサ部１０４の状態を確認する（Ｓ６０１）。ＣＰＵ部３１７が画像形成装置１００の前に人がいると判断した場合は、人感センサ部１０４の状態が人がいない状態になるまで定期的にポーリングする（Ｓ６０１がＹＥＳ）。ＣＰＵ部３１７が画像形成装置１００の前に人がいないと判断した場合は（Ｓ６０１がＮＯ）、ＣＰＵ部３１７がＨＤＤ部３１６に格納されている処理実行履歴情報３２０を確認する（Ｓ６０２）。処理実行履歴情報３２０に省電力モード復帰後からのジョブ実行履歴がない場合には（Ｓ６０２がＮＯ）、ＣＰＵ部３１７がメモリ部３１５に格納されている操作履歴情報３２１を確認する（Ｓ６０３）。
【００４３】
操作履歴情報３２１に省電力モード復帰後からの操作部の操作履歴がある場合には（Ｓ６０３がＹＥＳ）、一時的に画像形成装置１００の前から離れた（使用中）と判断する。そこで、ＣＰＵ部３１７は予め設定された時間を計測するために、タイマ部３１４をリセットし、計測する時間をタイマ部３１４に設定した後、タイマ部３１４を起動させ時間計測を開始する（Ｓ６０４）。タイマ部３１４を起動させた後、画像形成装置１００の前に人が存在するか（人が（操作者）戻ってきたか）を、ＣＰＵ部３１７が電源制御部３１２を介して人感センサ部１０４の状態を確認する（Ｓ６０５）。
【００４４】
ＣＰＵ部３１７が画像形成装置１００の前に人がいると判断した場合は（Ｓ６０５がＹＥＳ）、時間計測を中止するためにＣＰＵ部３１７がタイマ部３１４をリセットする（Ｓ６０７）。タイマ部３１４のリセット後、人感センサ部１０４の状態が人がいない状態になるまでＣＰＵ部３１７が人感センサ部１０４の状態を定期的にポーリングする。
【００４５】
ＣＰＵ部３１７が画像形成装置１００の前に人がいないと判断した場合は（Ｓ６０５がＮＯ）、タイマ部３１４のタイマカウント値を確認し、予め設定された時間経過していなければ（Ｓ６０６がＮＯ）、再度人感センサ部１０４の状態を確認する。予め設定された時間経過した場合（Ｓ６０６がＹＥＳ）は、ＣＰＵ部３１７が省電力モード移行処理を実行し、消費電力の少ない省電力モードへの移行させる（Ｓ６０８）。
【００４６】
また、処理実行履歴情報３２０に省電力モード復帰後からのジョブ実行履歴がある場合も（Ｓ６０２がＹＥＳ）、ＣＰＵ部３１７が省電力モード移行処理を実行し、省電力モードへの移行させる（Ｓ６０８）。また、操作履歴情報３２１に省電力モード復帰後からの操作履歴がない場合も（Ｓ６０３がＮＯ）、ＣＰＵ部３１７が省電力モード移行処理を実行し、省電力モードへの移行させる（Ｓ６０８）。
【００４７】
以上のように本実施形態によれば、操作部の操作もジョブも実行していない状態でユーザが離れたことを検知した場合には、すぐに省電力モードに移行するため、無駄な電力消費を極力抑えることが可能となる。また、操作部の操作は実行しているがジョブは実行していない状態（記録紙切れで取りに行った等）で人感検出手段でユーザが離れたことを検知した場合には、一定時間通常モードを維持するため、ユーザの利便性を維持することが可能となる。
【００４８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５０】
１０４  人間センサ部
３１２  電源制御部
３１７  ＣＰＵ部
３１８  画像処理部
【図１】
2019179244.tif 000003
【図２】
2019179244.tif 000004
【図３】
2019179244.tif 000005
【図４】
2019179244.tif 000006
【図５】
2019179244.tif 000007
【図６】
2019179244.tif 000008
【図７】
2019179244.tif 000009
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
人を検知する検知手段及び操作者が操作する操作部を備え、前記検知手段により人が検知されたことに基づき所定のデバイスに電力を供給する処理装置であって、
前記検知手段により人が検知されたことに基づき前記所定のデバイスに電力が供給されて前記検知手段により人が検知されている間に前記操作部が操作された場合、前記操作部の操作からの経過時間に基づいて前記所定のデバイスへの電力を停止し、前記検知手段により人が検知されたことに基づき前記所定のデバイスに電力が供給されて前記操作部が操作されることなく前記検知手段により人が検知されなくなった場合、前記検知手段により人が検知されなくなったことに基づき前記所定のデバイスへの電力を停止する、ことを特徴とする処理装置。
【請求項２】
前記検知手段により人が検知されたことに基づき前記所定のデバイスに電力が供給されて前記検知手段により人が検知されている間に前記操作部が操作された場合、前記検知手段により人が検知されている間は前記所定のデバイスへの電力を停止しない、ことを特徴とする請求項１に記載の処理装置。
【請求項３】
前記操作部は、液晶パネルであって、
前記検知手段により人が検知されたことに基づき前記所定のデバイスに電力が供給されて前記検知手段により人が検知されている間に前記液晶パネルが操作された場合、前記液晶パネルの操作からの経過時間に基づいて前記所定のデバイスへの電力を停止する、ことを特徴とする請求項１又は２に記載の処理装置。
【請求項４】
前記操作部は、ハードキーであって、
前記検知手段により人が検知されたことに基づき前記所定のデバイスに電力が供給されて前記検知手段により人が検知されている間に前記ハードキーが操作された場合、前記ハードキーの操作からの経過時間に基づいて前記所定のデバイスへの電力を停止する、ことを特徴とする請求項１又は２に記載の処理装置。
【請求項５】
前記検知手段は、焦電センサである、ことを特徴とする請求項１乃至４の何れか１項に記載の処理装置。
【請求項６】
前記検知手段は、赤外線を受信する赤外線センサである、ことを特徴とする請求項１乃至５の何れか１項に記載の処理装置。
【請求項７】
前記検知手段は、赤外線を出力し、且つ、赤外線を受信する赤外線センサである、ことを特徴とする請求項１乃至５の何れか１項に記載の処理装置。
【請求項８】
前記検知手段は、人の移動を検知する検知手段である、ことを特徴とする請求項１乃至３の何れか１項に記載の処理装置。
【請求項９】
前記検知手段は、人の存在を検知する検知手段である、ことを特徴とする請求項１乃至３の何れか１項に記載の処理装置。
【請求項１０】
前記操作部は、表示部と、操作者の操作を受け付ける受付部と、を有する、ことを特徴とする請求項１乃至９の何れか１項に記載の処理装置。
【請求項１１】
表示部をさらに備え、
前記所定のデバイスは、前記表示部である、ことを特徴とする請求項１乃至９の何れか１項に記載の処理装置。
【請求項１２】
前記表示部は、液晶パネルである、ことを特徴とする請求項１１に記載の処理装置。
【請求項１３】
プリントを実行するプリント部をさらに備える、ことを特徴とする請求項１乃至１２の何れか１項に記載の処理装置。
【請求項１４】
スキャンを実行するスキャナ部をさらに備える、ことを特徴とする請求項１乃至１３の何れか１項に記載の処理装置。
【請求項１５】
人を検知する検知手段及び操作者が操作する操作部を備え、前記検知手段の検知結果に基づき所定のデバイスへの電力を供給する機能及び前記検知手段の検知結果に基づき前記所定のデバイスへの電力を停止する機能を有する処理装置であって、
前記検知手段の検知結果に基づき所定のデバイスへの電力を供給する機能により前記所定のデバイスへ電力を供給して前記検知手段により人が検知されている間に前記操作部が操作された場合、前記操作部の操作からの経過時間に基づいて前記所定のデバイスへの電力を停止する機能により前記所定のデバイスへの電力を停止し、前記検知手段の検知結果に基づき所定のデバイスへの電力を供給する機能により前記所定のデバイスへ電力を供給して前記操作部が操作されることなく前記検知手段により人が検知されなくなった場合、前記検知手段の検知結果に基づき前記所定のデバイスへの電力を停止する機能により前記所定のデバイスへの電力を停止する、ことを特徴とする処理装置。
【請求項１６】
前記検知手段の検知結果に基づき所定のデバイスへの電力を供給する機能により前記所定のデバイスへ電力を供給して前記検知手段により人が検知されている間に前記操作部が操作された場合、前記検知手段により人が検知されている間は前記所定のデバイスへの電力を停止しない、ことを特徴とする請求項１５に記載の処理装置。
【請求項１７】
前記操作部は、液晶パネルであって、
前記検知手段の検知結果に基づき所定のデバイスへの電力を供給する機能により前記所定のデバイスへ電力を供給して前記検知手段により人が検知されている間に前記液晶パネルが操作された場合、前記液晶パネルの操作からの経過時間に基づいて前記所定のデバイスへの電力を停止する機能により前記所定のデバイスへの電力を停止する、ことを特徴とする請求項１５又は１６に記載の処理装置。
【請求項１８】
前記操作部は、ハードキーであって、
前記検知手段の検知結果に基づき所定のデバイスへの電力を供給する機能により前記所定のデバイスへ電力を供給して前記検知手段により人が検知されている間に前記ハードキーが操作された場合、前記ハードキーの操作からの経過時間に基づいて前記所定のデバイスへの電力を停止する機能により前記所定のデバイスへの電力を停止する、ことを特徴とする請求項１５又は１６に記載の処理装置。
【請求項１９】
前記検知手段は、焦電センサである、ことを特徴とする請求項１５乃至１８の何れか１項に記載の処理装置。
【請求項２０】
前記検知手段は、赤外線を受信する赤外線センサである、ことを特徴とする請求項１５乃至１９の何れか１項に記載の処理装置。
【請求項２１】
前記検知手段は、赤外線を出力し、且つ、赤外線を受信する赤外線センサである、ことを特徴とする請求項１５乃至１９の何れか１項に記載の処理装置。
【請求項２２】
前記検知手段は、人の移動を検知する検知手段である、ことを特徴とする請求項１５乃至１７の何れか１項に記載の処理装置。
【請求項２３】
前記検知手段は、人の存在を検知する検知手段である、ことを特徴とする請求項１５乃至１７の何れか１項に記載の処理装置。
【請求項２４】
前記操作部は、表示部と、操作者の操作を受け付ける受付部と、を有する、ことを特徴とする請求項１５乃至２３の何れか１項に記載の処理装置。
【請求項２５】
表示部をさらに備え、
前記所定のデバイスは、前記表示部である、ことを特徴とする請求項１５乃至２３の何れか１項に記載の処理装置。
【請求項２６】
前記表示部は、液晶パネルである、ことを特徴とする請求項２５に記載の処理装置。
【請求項２７】
プリントを実行するプリント部をさらに備える、ことを特徴とする請求項１５乃至２６の何れか１項に記載の処理装置。
【請求項２８】
スキャンを実行するスキャナ部をさらに備える、ことを特徴とする請求項１５乃至２７の何れか１項に記載の処理装置。
【請求項２９】
人を検知する検知手段及び操作者が操作する操作部を備え、前記検知手段により人が検知されたことに基づき所定のデバイスに電力を供給する処理装置の電力制御方法であって、
前記検知手段により人が検知されたことに基づき前記所定のデバイスに電力が供給されて前記検知手段により人が検知されている間に前記操作部が操作された場合、前記操作部の操作からの経過時間に基づいて前記所定のデバイスへの電力を停止し、前記検知手段により人が検知されたことに基づき前記所定のデバイスに電力が供給されて前記操作部が操作されることなく前記検知手段により人が検知されなくなった場合、前記検知手段により人が検知されなくなったことに基づき前記所定のデバイスへの電力を停止する、
ことを特徴とする処理装置の電力制御方法。
【請求項３０】
前記検知手段により人が検知されたことに基づき前記所定のデバイスに電力が供給されて前記検知手段により人が検知されている間に前記操作部が操作された場合、前記検知手段により人が検知されている間は、前記所定のデバイスへの電力を停止しない、ことを特徴とする請求項２９に記載の処理装置の電力制御方法。
【請求項３１】
前記操作部は、液晶パネルであって、
前記検知手段により人が検知されたことに基づき前記所定のデバイスに電力が供給されて前記検知手段により人が検知されている間に前記液晶パネルが操作された場合、前記液晶パネルの操作からの経過時間に基づいて前記所定のデバイスへの電力を停止する、ことを特徴とする請求項２９又は３０に記載の処理装置の電力制御方法。
【請求項３２】
前記操作部は、ハードキーであって、
前記検知手段により人が検知されたことに基づき前記所定のデバイスに電力が供給されて前記検知手段により人が検知されている間に前記ハードキーが操作された場合、前記ハードキーの操作からの経過時間に基づいて前記所定のデバイスへの電力を停止する、ことを特徴とする請求項２９又は３０に記載の処理装置の電力制御方法。
【請求項３３】
前記検知手段は、焦電センサである、ことを特徴とする請求項２９乃至３１の何れか１項に記載の処理装置の電力制御方法。
【請求項３４】
前記検知手段は、赤外線を受信する赤外線センサである、ことを特徴とする請求項２９乃至３３の何れか１項に記載の処理装置の電力制御方法。
【請求項３５】
前記検知手段は、赤外線を出力し、且つ、赤外線を受信する赤外線センサである、ことを特徴とする請求項２９乃至３３の何れか１項に記載の処理装置の電力制御方法。
【請求項３６】
前記検知手段は、人の移動を検知する検知手段である、ことを特徴とする請求項２９乃至３１の何れか１項に記載の処理装置の電力制御方法。
【請求項３７】
前記検知手段は、人の存在を検知する検知手段である、ことを特徴とする請求項２９乃至３１の何れか１項に記載の処理装置の電力制御方法。
【請求項３８】
前記操作部は、表示部と、操作者の操作を受け付ける受付部と、を有する、ことを特徴とする請求項２９乃至３７の何れか１項に記載の処理装置の電力制御方法。
【請求項３９】
表示部をさらに備え、
前記所定のデバイスは、前記表示部である、ことを特徴とする請求項２９乃至３７の何れか１項に記載の処理装置の電力制御方法。
【請求項４０】
前記表示部は、液晶パネルである、ことを特徴とする請求項３９に記載の処理装置の電力制御方法。
【請求項４１】
プリントを実行するプリント部をさらに備える、ことを特徴とする請求項２９乃至４０の何れか１項に記載の処理装置の電力制御方法。
【請求項４２】
スキャンを実行するスキャナ部をさらに備える、ことを特徴とする請求項２９乃至４１の何れか１項に記載の処理装置の電力制御方法。
【請求項４３】
人を検知する検知手段及び操作者が操作する操作部を備え、前記検知手段の検知結果に基づき所定のデバイスへの電力を供給する機能及び前記検知手段の検知結果に基づき前記所定のデバイスへの電力を停止する機能を有する処理装置の電力制御方法であって、
前記検知手段の検知結果に基づき所定のデバイスへの電力を供給する機能により前記所定のデバイスへ電力を供給して前記検知手段により人が検知されている間に前記操作部が操作された場合、前記操作部の操作からの経過時間に基づいて前記所定のデバイスへの電力を停止する機能により前記所定のデバイスへの電力を停止し、
前記検知手段の検知結果に基づき所定のデバイスへの電力を供給する機能により前記所定のデバイスへ電力を供給して前記操作部が操作されることなく前記検知手段により人が検知されなくなった場合、前記検知手段の検知結果に基づき前記所定のデバイスへの電力を停止する機能により前記所定のデバイスへの電力を停止する、
ことを特徴とする処理装置の電力制御方法。
【請求項４４】
前記検知手段の検知結果に基づき所定のデバイスへの電力を供給する機能により前記所定のデバイスへ電力を供給して前記検知手段により人が検知されている間に前記操作部が操作された場合、前記検知手段により人が検知されている間は、前記所定のデバイスへの電力を停止しない、ことを特徴とする請求項４３に記載の処理装置の電力制御方法。
【請求項４５】
前記操作部は、液晶パネルであって、
前記検知手段の検知結果に基づき所定のデバイスへの電力を供給する機能により前記所定のデバイスへ電力を供給して前記検知手段により人が検知されている間に前記液晶パネルが操作された場合、前記液晶パネルの操作からの経過時間に基づいて前記所定のデバイスへの電力を停止する機能により前記所定のデバイスへの電力を停止する、ことを特徴とする請求項４３又は４４に記載の処理装置の電力制御方法。
【請求項４６】
前記操作部は、ハードキーであって、
前記検知手段の検知結果に基づき所定のデバイスへの電力を供給する機能により前記所定のデバイスへ電力を供給して前記検知手段により人が検知されている間に前記ハードキーが操作された場合、前記ハードキーの操作からの経過時間に基づいて前記所定のデバイスへの電力を停止する機能により前記所定のデバイスへの電力を停止する、ことを特徴とする請求項４３又は４４に記載の処理装置の電力制御方法。
【請求項４７】
前記検知手段は、焦電センサである、ことを特徴とする請求項４３乃至４５の何れか１項に記載の処理装置の電力制御方法。
【請求項４８】
前記検知手段は、赤外線を受信する赤外線センサである、ことを特徴とする請求項４３乃至４７の何れか１項に記載の処理装置の電力制御方法。
【請求項４９】
前記検知手段は、赤外線を出力し、且つ、赤外線を受信する赤外線センサである、ことを特徴とする請求項４３乃至４７の何れか１項に記載の処理装置の電力制御方法。
【請求項５０】
前記検知手段は、人の移動を検知する検知手段である、ことを特徴とする請求項４３乃至４５の何れか１項に記載の処理装置の電力制御方法。
【請求項５１】
前記検知手段は、人の存在を検知する検知手段である、ことを特徴とする請求項４３乃至４５の何れか１項に記載の処理装置の電力制御方法。
【請求項５２】
前記操作部は、表示部と、操作者の操作を受け付ける受付部と、を有する、ことを特徴とする請求項４３乃至５１の何れか１項に記載の処理装置の電力制御方法。
【請求項５３】
表示部をさらに備え、
前記所定のデバイスは、前記表示部である、ことを特徴とする請求項４３乃至５１の何れか１項に記載の処理装置の電力制御方法。
【請求項５４】
前記表示部は、液晶パネルである、ことを特徴とする請求項５３に記載の処理装置の電力制御方法。
【請求項５５】
プリントを実行するプリント部をさらに備える、ことを特徴とする請求項４３乃至５４の何れか１項に記載の処理装置の電力制御方法。
【請求項５６】
スキャンを実行するスキャナ部をさらに備える、ことを特徴とする請求項４３乃至５５の何れか１項に記載の処理装置の電力制御方法。
【手続補正３】
【補正対象書類名】明細書
【補正対象項目名】０００１
【補正方法】変更
【補正の内容】
【０００１】
本発明は、人体検知技術を用いた処理装置に関し、特に人体検知技術を用いて電力状態を切り替える処理装置及びその電力制御方法に関するものである。
【手続補正４】
【補正対象書類名】明細書
【補正対象項目名】０００７
【補正方法】変更
【補正の内容】
【０００７】
上記目的を達成する本発明の処理装置は、以下に示す構成を備える。
人を検知する検知手段及び操作者が操作する操作部を備え、前記検知手段により人が検知されたことに基づき所定のデバイスに電力を供給する処理装置であって、前記検知手段により人が検知されたことに基づき前記所定のデバイスに電力が供給されて前記検知手段により人が検知されている間に前記操作部が操作された場合、前記操作部の操作からの経過時間に基づいて前記所定のデバイスへの電力を停止し、前記検知手段により人が検知されたことに基づき前記所定のデバイスに電力が供給されて前記操作部が操作されることなく前記検知手段により人が検知されなくなった場合、前記検知手段により人が検知されなくなったことに基づき前記所定のデバイスへの電力を停止する、ことを特徴とする。